(57)【要約】      （修正有）【課題】発信機の点検操作を容易して点検の作業効率を向上可能とする。【解決手段】通報装置１０の外扉１４の内側に、通報装置本体１２の開口を閉鎖する内扉２６を設ける。外扉１４の保護板２２をリング状の取付枠２０に装着した発信機操作部１８ａを設け、外扉１４の保護板２２に相対した内扉２６に、保護板２２を押し込んで外れた場合の押込み力を受けてオンするスイッチノブ３０を持つ押し釦スイッチ２８を取り付ける。点検時には、外扉１４を開いて内扉１６に設けた発信機１８のスイッチノブ３０を露出させて押し釦スイッチ２８をオン操作する。【選択図】図４
2016018219.tif 000002
【特許請求の範囲】
【請求項１】
前方に開口した箱型の通報装置本体と、
前記通報装置本体の開口に対して開閉自在に設けた外扉と、
前記外扉の内側に位置し、前記通報装置本体に設けた内扉と、
前記外扉に形成した取付穴に配置した枠本体内に保持され、所定の力を超える押し込み力を受けた際に外れる保護板と、
前記外扉の保護板に相対して前記内扉に設けられ、前記保護板を押し込んで外れた場合の押込み力を受けてオンする押し釦スイッチを備えた発信機と、
を備え、前記外扉を開いて前記内扉に設けた前記発信機の押し釦スイッチを操作可能な構造としたことを特徴とする発信機装置。
【請求項２】
装置本体に設けた通報装置扉と、
前記通報装置扉に形成した取付穴に配置した枠本体内に保持され、所定の力を超える押し込み力を受けた際に前記枠本体から外れる保護板と、
前記通報装置扉の保護板を含む所定領域に相対して前記通報装置扉の内側に開閉自在に設けられ、閉鎖状態で前記保護板の内側に相対して位置し、開放状態で前記通報装置扉の内側に開放する内側子扉と、
前記内扉子扉に設けられ、前記内扉の閉鎖状態で前記通報装置扉の保護板に相対し、前記保護板を押し込んで外れた場合の押込み力を受けてオンする押し釦スイッチを備えた発信機と、
を備え、前記外扉を開いた状態で前記内扉子扉を開いて前記発信機の押し釦スイッチを操作可能な構造としたことを特徴とする発信機装置。
【発明の詳細な説明】
【技術分野】
【０００１】
本発明は、非常通報装置や消火器装置などに設けられる発信機装置に関する。
【背景技術】
【０００２】
従来、高速道路のトンネル等に設置される通報装置として例えば図８に示すものが知られている。なお、図８（Ａ）は正面を示し、図８（Ｂ）は内部構造を示している。
【０００３】
図８に示すように、通報装置１００はトンネル側壁の人が操作可能な高さの位置に所定間隔で設置され、箱型の本体１０２の前面開口に扉１０４を開閉自在に設け、扉１０４の表側に、押し釦式の発信機１０６、応答ランプ１０８及び蓋付きの電話ジャック１１０を設けている。
【０００４】
発信機１０６は取付部１１０の背後に防水ゴムで覆われた押し釦スイッチ１１２を配置し、押しボタンスイッチ１１２の前部にはスイッチノブを突出して配置している。取付部１１０の前方にはリング状に形成したプラスチック材の取付枠１１４により透明な有機ガラス板などを使用した保護板１１６を配置している。
【０００５】
車両事故に伴う火災時には、利用者が通報装置１００に設けた保護板１１６を強く押し込むと、保護板１１６が取付枠１１４から外れて発信機１０６の押し釦スイッチ１１２に設けたスイッチノブを押し込んでオン操作し、発信機１０６から発信信号が監視室の火災受信機に送信されて火災警報が出され、これに伴い応答信号が火災受信機から送られて、応答ランプ１０８を点灯するようにしている。
【先行技術文献】
【特許文献】
【０００６】
【特許文献１】特開平１０−１５４２８２号公報
【発明の概要】
【発明が解決しようとする課題】
【０００７】
ところで、このような従来の発信機にあっては、トンネル非常設備を定期点検するときに、通報装置に設けた発信機を操作して正常に動作することを確認する点検を行っている。
【０００８】
この発信機の点検は、図９（Ａ）に発信機１０６の部分を取り出して示すように、取付枠１１４の周囲に形成した切欠にマイナスドライバ１１８等を掛けて手前に引くことで、図９（Ｂ）に示すように枠部材１１４を保護板１１６が嵌められた状態を維持して取り外す。そして、開口穴１２２に露出した発信機１０６のスイッチノブ１２０を操作して動作点検を行う。
【０００９】
点検が終了したら、取り外した取付枠１１４及び保護板１１６を開口穴１２２にはめ込み固定して初期状態に戻す。
【００１０】
このため従来の発信機を点検する場合には、保護板及び枠部材を工具を使って取り外し、発信機の押し釦操作による点検を行った後に、保護板を装着した取付枠を元の状態に戻す作業が必要であり、発信機の点検に手間と時間がかかる。更に、トンネル設備等においては所定間隔で設置している多数の発信機を順次点検していく必要があるため、他の非常設備を含めて行う点検作業の効率化できないという問題が残されている。
【００１１】
このような問題は、トンネル内に非常設備として設置している消火器箱や消火栓装置に設けた発信機の点検作業についても同様である。
【００１２】
本発明は、発信機の点検操作を容易して点検の作業効率を向上可能とした発信機装置を提供することを目的とする。
【課題を解決するための手段】
【００１３】
本発明は、発信機装置に於いて、
前方に開口した箱型の通報装置本体と、
通報装置本体の開口に対して開閉自在に設けた外扉と、
外扉の内側に位置し、通報装置本体に設けた内扉と、
外扉に形成した取付穴に配置した枠本体内に保持され、所定の力を超える押し込み力を受けた際に外れる保護板と、
外扉の保護板に相対して内扉に設けられ、保護板を押し込んで外れた場合の押込み力を受けてオンする押し釦スイッチを備えた発信機と、
を備え、外扉を開いて内扉に設けた発信機の押し釦スイッチを操作可能な構造としたことを特徴とする。
【００１４】
本発明の別の形態にあっては、
装置本体に設けた通報装置扉と、
通報装置扉に形成した取付穴に配置した枠本体内に保持され、所定の力を超える押し込み力を受けた際に前記枠本体から外れる保護板と、
通報装置扉の保護板を含む所定領域に相対して通報装置扉の内側に開閉自在に設けられ、閉鎖状態で保護板の内側に相対して位置し、開放状態で通報装置扉の内側に開放する内側子扉と、
内扉子扉に設けられ、内扉の閉鎖状態で前記通報装置扉の保護板に相対し、保護板を押し込んで外れた場合の押込み力を受けてオンする押し釦スイッチを備えた発信機と、
を備え、外扉を開いた状態で内扉子扉を開いて発信機の押し釦スイッチを操作可能な構造としたことを特徴とする。
【発明の効果】
【００１５】
本発明の発信機装置によれば、前方に開口した箱型の通報装置本体と、通報装置本体の開口に対して開閉自在に設けた外扉と、外扉の内側に位置し、通報装置本体に設けた内扉と、外扉に形成した取付穴に配置した枠本体内に保持され、所定の力を超える押し込み力を受けた際に外れる保護板と、外扉の保護板に相対して内扉に設けられ、保護板を押し込んで外れた場合の押込み力を受けてオンする押し釦スイッチを備えた発信機とを備え、外扉を開いて内扉に設けた発信機の押し釦スイッチを操作可能な構造とするようにしたため、通報装置に設けた発信機の点検を操作する場合、外扉を開くことで内扉に設けた発信機の押し釦スイッチを露出できることから、これを操作するだけの簡単な作業で済み、従来のように、外扉の枠本体や保護板をドライバー等の工具を使用して着脱するといった手間と時間のかかる作業が不要となり、発信機の点検操作を容易して点検の作業効率の向上を可能とする。
【００１６】
また本発明の別の形態の発信機装置によれば、装置本体に設けた通報装置扉と、通報装置扉に形成した取付穴に配置した枠本体内に保持され、所定の力を超える押し込み力を受けた際に前記枠本体から外れる保護板と、通報装置扉の保護板を含む所定領域に相対して通報装置扉の内側に開閉自在に設けられ、閉鎖状態で保護板の内側に相対して位置し、開放状態で通報装置扉の内側に開放する内側子扉と、内側子扉に設けられ、内扉の閉鎖状態で通報装置扉の保護板に相対し、保護板を押し込んで外れた場合の押込み力を受けてオンする押し釦スイッチを備えた発信機とを備え、外扉を開いた状態で内扉子扉を開いて発信機の押し釦スイッチを操作可能な構造とするようにしたため、発信機を点検のために操作する場合、外扉を開いてその内側に設けた内側子扉を開くと、内側子扉に取付ている発信機の押し釦スイッチの操作側が露出し、これを操作するだけの簡単な作業で済み、従来のように、外扉の枠本体及び保護板をドライバー等の工具を使用して着脱するといった手間と時間のかかる作業が不要となり、発信機の点検操作を容易して点検の作業効率の向上を可能とする。
【図面の簡単な説明】
【００１７】
【図１】トンネルに設置する通報装置に発信機を設けた発信機装置の実施形態を示した説明図
【図２】図１の通報装置の内部構造を側面から見た断面で示した断面図
【図３】外扉と内扉に分けて設けた発信機装置の取付構造を示した説明図
【図４】外扉を閉鎖した場合と開放した場合に分けて発信機装置の取付構造を平面から見た断面で示した説明図
【図５】トンネルに設置する消火器箱に発信機を設けた発信機装置の実施形態を示した説明図
【図６】図５の通報装置の内部構造を側面から見た断面で示した断面図
【図７】外扉及び内側子扉を閉鎖した場合と開放した場合に分けて発信機装置の取付構造を平面から見た断面で示した説明図
【図８】トンネルに設置する通報装置に発信機を設けた従来の発信機装置を示した説明図
【図９】取付枠及び保護板を取り外してスイッチを操作する従来の発信機の点検作業を示した説明図
【発明を実施するための形態】
【００１８】
［通報装置に設けた発信機装置］
図１はトンネルに設置する通報装置に発信機を設けた発信機装置の実施形態を示した説明図であり、図１（Ａ）は正面を示し、図１（Ｂ）は側面を示す。図２は図１の通報装置の内部構造を側面から見た断面で示した断面図、図３は外扉と内扉に分けて設けた発信機装置の取付構造を示した説明図、図４は外扉を閉鎖した場合（図４（Ａ））と開放した場合（図４（Ｂ））に分けて発信機装置の取付構造を平面から見た断面で示した説明図である。
【００１９】
（発信機装置の構成）
図１に示すように、通報装置１０はトンネル側壁に沿って所定間隔で配置され、箱型の通報装置本体１２の開口した前面に、蝶番１６により外扉１４を開閉自在に設けている。外扉１４の表側には発信機１８の発信機操作部１８ａ、応答ランプ２４及び銘板３４を設けている。
【００２０】
外扉１４に設けた発信機操作部１８ａは、外扉１４に形成した取付穴に、有機ガラス板などの透明材料で作られた保護板２２を装着した取付枠２０を嵌め入れている。取付枠２０は弾性材料で作られたリング状の部材であり、保護板２２を中に装着した状態で外扉１４の取付穴に前方から押し込むことで取り付けている。
【００２１】
保護板２２は取付枠２０に装着した状態で、外部から径２０ミリメートルの棒で押し込む力が２０ニュートンでは外れないが、８０ニュートン以上となった場合には外れるように、取付枠２０の厚さや形状により変形強度を設定している。取付枠２０は例えばプラスチック材質であり、耐候性、耐熱性、耐寒性、耐水性、耐薬品性が優れたものが好ましい。
【００２２】
図２に示すように、通報装置本体１２の開口には、内扉２６を取付け固定している。内扉２６の手前に位置する外扉１４は後方に開口した薄形の箱型形状を持ち、内扉２６との間に収納空間２５を形成している。
【００２３】
内扉２６には発信機１８を取り付けている。発信機１８は内扉２６に形成した取付穴に溶接等で固定した取付部材２７に押し釦スイッチ２８をねじ込み固定しており、押し釦スイッチ２８の前方側に弾性力のある防水キャップで覆ったスイッチノブ３０を突出させて外扉１４の内側に形成した収納空間２５の中に位置させている。また押し釦スイッチ２８の周囲及び後部には防水カバー２９が装着され、防水カバー２９の内部に位置するスイッチ端子に外部から信号線を防水性を持って引き込んで接続可能としている。内扉２６も回動可能であり、開放することで通報装置本体１２内部を開放して通線作業、メンテナンスを行うことができる。
【００２４】
このような外扉１４及び内扉２６に対する発信機１８の取付構造は、図３に示すように、外扉１４に取付枠２０及び保護板２２でなる発信機操作部１８ａを設け、外扉１４の発信機操作部１８ａと収納空間２５を介して相対した内扉２６の位置に、スイッチノブ３０を備えた押し釦スイッチ２８を取り付けた分離取付構造となる。中空リング状の取付枠２０は、外扉１４の開口部に着脱自在に装着され、取付枠２０内には保護板２２が着脱自在に取付けられる。
【００２５】
また、図２に示すように、内扉２６の発信機１８とは別の取付穴には電話ジャック３２を裏側から取付固定しており、取付穴を介して内扉２６の表側に、キャップ３２ａを装着したジャック端子を位置させており、発信機の点検作業時と同じように外扉１４を開放することで、通話を行うことができる。
【００２６】
通報装置１０に設けた発信機１８、応答ランプ２４及び電話ジャック３２に対する外部との信号線接続は、通報装置本体１２背面に設けた電線管接続口３８から電線管を通したケーブルを引き込み、その芯線を端子台３６に接続し、発信機１８、応答ランプ２４及び電話ジャック３２からの信号線を端子台３６に接続して行う。
【００２７】
（非常通報操作）
運用中にあっては、図４（Ａ）に示すように、通報装置１０の外扉１４は閉じており、トンネル内での車両事故あるいは火災が発生した場合、利用者は外扉１４の取付枠２０に装着している保護板２２を装置本体内側へ強く押し込むことで通報操作を行う。
【００２８】
利用者が保護板２２を強く押し込むと、取付枠２０から保護板２２が外れ、外れた保護板２２がスイッチノブ３０を押し込んで押し釦スイッチ２８をオン操作する。押し釦スイッチ８６をオン操作するとスイッチオン信号が監視室などの受信機に送られて非常警報がされ、受信機から応答信号が送り返されることで図１に示した応答ランプ２４を点灯することになる。
【００２９】
（点検操作）
通報装置１０に設けた発信機１８を点検する場合には、図４（Ｂ）に示すように、外扉１４を開くと、内扉２６に設けた押し釦スイッチ２８のスイッチノブ３０が露出し、点検員はスイッチノブ３０を直接に押し込むことで押し釦スイッチ２８を簡単にオン操作することができる。したがって、従来のように取付枠２０、保護板２２を外したり、点検後に取り付ける煩わしい作業を省略することができる。
【００３０】
［消火器箱の通報装置扉に設けた発信機装置］
図５はトンネルに設置する消火器箱に発信機を設けた発信機装置の実施形態を示した説明図であり、図５（Ａ）に正面を示し、図５（Ｂ）に側面から見た断面を示している。また、図６は図５の通報装置の内部構造を平面面から見た断面で示した説明図であり、図６（Ａ）に全体を示し、図６（Ｂ）に発信機部分を拡大して示している。更に、図７は外扉及び内側子扉を閉鎖した場合（図７（Ａ））と開放した場合（図７（Ｂ））に分けて発信機装置の取付構造を平面から見た断面で示した説明図である。
【００３１】
（消火器箱の概要）
図５及び図６に示すように、消火器箱４０はトンネル側壁に所定間隔で埋め込み設置され、前面に開口した消火器箱本体４２の左側には消火器扉４４を設け、消火器扉４４に対応した消火器箱本体４２の内部を消火器収納空間とし、例えば２本の消火器４８を収納している。
【００３２】
消火器扉４４にはハンドル４５を設け、ハンドル４５を手前に引くと、左側の軸５４を回動軸として前方に開くことができる。また、消火器扉４４には覗き窓４６を設け、外部から消火器４８の収納状態を確認可能としている。
【００３３】
消火器扉４４の右側には通報装置扉５０を設け、ここに赤色表示灯５２、発信機操作部１８ａ、応答ランプ２４及び銘板３４を設けている。赤色表示灯５２は常時点灯し、消火器箱４０の設置場所が遠方から分かるようにしている。火災時には、発信機操作部１８ａの保護板を押して内蔵した押し釦スイッチ２８をオン操作すると、発信信号が監視室の火災受信機に送信されて火災警報が出され、これに伴い応答信号が火災受信機から送られて、応答ランプ２４を点灯するようにしている。
【００３４】
通報装置扉５０は右側の軸５６を回動軸として前方に開くことができる。通報装置扉５０に形成した取付穴に、有機ガラス板などの透明材料で作られた保護板２２を装着した取付枠２０を着脱自在に嵌め入れている。取付枠２０はリング状の部材であり、内側に保護板２２を装着した状態で通報装置扉５０の取付穴に前方から押し込むことで取り付けている。保護板２２は所定の値を超える押込み力を受けた場合に消火器箱背面方向に外れるように、取付枠２０の厚さや形状により変形強度を設定している。
【００３５】
通報装置扉５０に設けた発信機操作部１８ａに相対した扉裏面に、内側子扉６０を開閉自在に設け、この内側子扉６０に発信機１８のスイッチノブ３０を備えた押し釦スイッチ２８を取付け固定している。
【００３６】
内側子扉６０の構造は、通報装置扉５０に取付固定した発信機操作部１８ａを挟んだ両側に奥行方向に一対のリブ６２を起立して収納空間６５を形成し、リブ６２の左側に軸６４を回動軸として奥行き方向へ開閉自在に内側子扉６０を支持し、リブ６２にロック部６６を設けている。
【００３７】
内側子扉６０に対する発信機１８の取付け固定は、内側子扉６０に形成した取付穴に溶接等で固定した取付部材２７に押し釦スイッチ２８をねじ込み固定しており、押し釦スイッチ２８の前方側に弾性材の防水キャップで覆ったスイッチノブ３０を突出させて、通報装置扉５０の内側に形成した収納空間６５の中に位置させている。また押し釦スイッチ２８の周囲及び後部には防水カバー２９を装着し、防水カバー２９の内部に位置するスイッチ端子に外部から信号線を引き込んで接続可能としている。
【００３８】
また、発信機１８の背後となる消火器箱本体４２内には、電話ジャック３２を取付け固定しており、表側にキャップ３２ａを装着したジャック端子を位置させている。
【００３９】
（非常通報操作）
運用中にあっては、図７（Ａ）に示すように、消火器箱４０の消火器扉４４及び通報装置扉５０は閉じており、トンネル内での車両事故や火災等の非常事態が発生した場合、利用者は通報装置扉５０に設けた発信機操作部１８ａの取付枠２０により装着した保護板２２を強く押し込むことで通報操作を行う。
【００４０】
利用者が保護板２２を強く押し込むと、取付枠２０から保護板２２が奥行き方向へ外れ、外れた保護板２２が内側子扉６０に取付け固定している押し釦スイッチ２８のスイッチノブ３０を押し込み、押し釦スイッチ２８をオン操作する。押し釦スイッチ２８をオン操作すると、スイッチオン信号が監視室などの受信機に送られ、非常警報が行われるとともに、受信機から応答信号が送り返され、図５に示した応答ランプ２４を点灯することになる。
【００４１】
（点検操作）
消火器箱４０の通報装置扉５０側に設けた発信機１８を点検する場合には、図７（Ｂ）に示すように、図５に示したハンドル４５を手前に引くことで消火器扉４４を軸５４を回動軸として開くことができる。
【００４２】
消火器扉４４を開くと、通報装置扉５０を軸５６を回動軸として手前に開くことができ、通報装置扉５０を開いた状態で、その内側に設けている内側子扉６０を軸６４を回動軸として後方へ回動させて開くと、内側子扉６０に取付固定している押し釦スイッチ２８のスイッチノブ３０が外部に露出し、点検員はスイッチノブ３２を直接に押し込むことで押し釦スイッチ２８を簡単且つ容易にオン操作して点検することができる。
【００４３】
なお、図６の実施形態においては、通報装置扉５０の左側本体内が開放していることから、通報装置扉５０を開放せずに、内側子扉６０のみを開放することでも、スイッチノブ３０を消火器箱４０内で露出させることができて、点検者が保護板を介さずに点検操作することもできる。従って、装置構成によっては、通報装置扉は回動しない固定板とすることも可能である。
【００４４】
［本発明の変形例］
実施形態は、トンネル内に設置する通報装置及び消火器箱に発信機を設けた場合を例にとるものであったが、トンネル内に側壁に沿って所定間隔で埋め込み設置している消火栓装置についても、消火栓扉を備えた消火栓装置の左側に、図５及び図６に示したと同様な消火器箱及び通報装置扉を連結固定していることから、この消火栓装置に設けた通報装置扉についても、図５乃至図７に示したと同様に、発信機操作部１８ａを通報装置扉５０側に取付固定し、通報装置扉５０の内側に設けた内側子扉６０に、同様に発信機を取付固定して、発信機に設けた押し釦装置の点検に伴うオン操作を行うようにしても良い。
【００４５】
また、図４に示す実施形態に設けた内扉２６について、図７に示す実施形態の通報装置扉５０の内側に設けた内側子扉６０の場合と同様に、外扉１４の内側に軸により内扉２６を開閉自在に設け、内扉２６に取り付けた発信機１８の押し釦スイッチ２８を点検時に操作する場合には、外扉１４を開いた状態で内扉２６を開いて押し釦スイッチ２８のスイッチノブ３０を露出させてオン操作するようにしても良い。
【００４６】
また、上記実施形態は、トンネル内に設置される通報装置や消火器箱に発信機を設ける場合を例にとっているが、これに限らず、ビル等の壁面に取り付けられ通報装置や消火器箱に設けた発信機についても同様に適用できる。
【００４７】
また、本発明はその目的と利点を損なうことのない適宜の変形を含む。また本発明は上記の実施形態に示した数値による限定は受けない。  
【符号の説明】
【００４８】
１０：通報装置
１２：通報装置本体
１４：外扉
１８：発信機
１８ａ：発信機操作部
２０：取付枠
２２：保護板
２６：内扉
２８：押し釦スイッチ
３０：スイッチノブ
４０：消火器箱
４２：箱本体
４４：消火器扉
５０：通報装置扉
５２：赤色表示灯
６０：内側子扉
６２：リブ
６６：ロック部
【図１】
2016018219.tif 000003
【図２】
2016018219.tif 000004
【図３】
2016018219.tif 000005
【図４】
2016018219.tif 000006
【図５】
2016018219.tif 000007
【図６】
2016018219.tif 000008
【図７】
2016018219.tif 000009
【図８】
2016018219.tif 000010
【図９】
2016018219.tif 000011
【手続補正書】
【提出日】平成26年7月14日(2014.7.14)
【手続補正１】
【補正対象書類名】図面
【補正対象項目名】全図
【補正方法】変更
【補正の内容】
【図１】
2016018219.tif 000012
【図２】
2016018219.tif 000013
【図３】
2016018219.tif 000014
【図４】
2016018219.tif 000015
【図５】
2016018219.tif 000016
【図６】
2016018219.tif 000017
【図７】
2016018219.tif 000018
【図８】
2016018219.tif 000019
【図９】
2016018219.tif 000020